(57)【要約】【課題】制御基板に実装されたコネクタに電装線を抜き挿しする際、制御基板に実装された回路素子に電装線が接触することによる回路素子の破損を防止できるリモコン装置を提供する。【解決手段】リモコン装置は、ケース１と、制御基板５と、コネクタ６と、回路素子７とを有している。ケース１は前面部１ａから突出した壁部１ｃを有している。制御基板５は第１および第２の面５ａ、５ｂを貫通するスリット５ｃが形成されている。コネクタ６は第１の面５ａに実装され、第１の面５ａに沿う方向に電装線を抜き挿し可能である。回路素子７は第１の面５ａに実装されている。壁部１ｃは、第２の面側からスリット５ｃに挿入された状態で、第１の面５ａから突出し、かつ電装線のコネクタ６からの抜き方向に配置されている。【選択図】図７
2014192582.tif 000002
【特許請求の範囲】
【請求項１】
電装線と電気的に接続可能なリモコン装置であって、
前面部を有し、前記前面部から突出した壁部を有するケースと、
互いに対向する第１および第２の面を有し、前記第１および第２の面を貫通するスリットが形成された制御基板と、
前記制御基板の前記第１の面に実装され、前記第１の面に沿う方向に前記電装線を抜き挿し可能なコネクタと、
前記制御基板の前記第１の面に実装された回路素子とを備え、
前記ケースの前記壁部は、前記制御基板の前記第２の面側から前記スリットに挿入された状態で、前記第１の面から突出し、かつ前記電装線の前記コネクタからの抜き方向に配置されている、リモコン装置。
【請求項２】
前記壁部の前記第１の面から突出した部分の高さ寸法は、前記回路素子の前記制御基板の前記第１の面からの高さ寸法以上の大きさである、請求項１に記載のリモコン装置。
【請求項３】
前記壁部は、前記第２の面側から前記スリットに挿入されて前記第１の面から突出した状態で、前記コネクタよりも前記回路素子の近くに配置されている、請求項１または２に記載のリモコン装置。
【請求項４】
前記壁部は、前記前面部から突出する方向から見てＬ形形状を有している、請求項１〜３のいずれか１項に記載のリモコン装置。
【請求項５】
前記回路素子はコンデンサである、請求項１〜４のいずれか１項に記載のリモコン装置。
【発明の詳細な説明】
【技術分野】
【０００１】
本発明はリモコン装置に関するものである。
【背景技術】
【０００２】
従来、給湯器などでは壁面にリモコン装置が設置されており、このリモコン装置が操作されることによって給湯器などの運転が制御される。このようなリモコン装置は、たとえば特開２００８−１８７０６９号公報（特許文献１）に開示されている。このような壁面に設置されるリモコン装置においては、リモコン装置のケース内に収容される制御基板の背面側に、電装線接続用のコネクタおよび回路素子としての電解コンデンサが実装されている。たとえば特開２００２−３４５１２４号公報（特許文献２）にはコネクタと回路素子とが制御基板の背面側に実装されたリモコン装置が開示されている。
【先行技術文献】
【特許文献】
【０００３】
【特許文献１】特開２００８−１８７０６９号公報
【特許文献２】特開２００２−３４５１２４号公報
【発明の概要】
【発明が解決しようとする課題】
【０００４】
上記の各公報に記載されたような壁面に設置されるリモコン装置では、施工者およびメンテナンス作業者などが制御基板の背面側に実装されたコネクタに電装線を抜き挿しする際、制御基板の背面側に実装された電解コンデンサに電装線が接触することで電解コンデンサを破損させてしまう虞がある。
【０００５】
本発明は、上記の課題を鑑みてなされたものであり、その目的は、制御基板に実装されたコネクタに電装線を抜き挿しする際、制御基板に実装された回路素子に電装線が接触することによる回路素子の破損を防止できるリモコン装置を提供することである。
【課題を解決するための手段】
【０００６】
本発明のリモコン装置は、電装線と電気的に接続可能なものであって、ケースと、制御基板と、コネクタと、回路素子とを有している。ケースは前面部を有し、前面部から突出した壁部を有している。制御基板は互いに対向する第１および第２の面を有し、第１および第２の面を貫通するスリットが形成されている。コネクタは制御基板の第１の面に実装され、第１の面に沿う方向に電装線を抜き挿し可能である。回路素子は制御基板の第１の面に実装されている。ケースの壁部は、制御基板の第２の面側からスリットに挿入された状態で、第１の面から突出し、かつ電装線のコネクタからの抜き方向に配置されている。
【０００７】
本発明のリモコン装置によれば、ケースの壁部は制御基板の第２の面側からスリットに挿入された状態で第１の面から突出し、かつ電装線のコネクタからの抜き方向に配置されている。このため、制御基板の第１の面に実装されたコネクタに電装線が抜き挿しされる際、第１の面から突出し電装線のコネクタからの抜き方向に配置された壁部に電装線が接触することで、電装線が回路素子に接触することが妨げられる。これにより、回路素子に電装線が接触することによる回路素子の破損を防止することができる。
【０００８】
上記のリモコン装置によれば、壁部の第１の面から突出した部分の高さ寸法は、回路素子の制御基板の第１の面からの高さ寸法以上の大きさである。このため、制御基板の第１の面に実装されたコネクタに電装線が抜き挿しされる際、第１の面に沿って電装線が移動すると電装線は回路素子に接触する前に壁部に確実に接触する。これにより、回路素子に電装線が接触することによる回路素子の破損を確実に防止することができる。
【０００９】
上記のリモコン装置によれば、壁部は、第２の面側からスリットに挿入されて第１の面から突出した状態で、コネクタよりも回路素子の近くに配置されている。このため、コネクタに電装線が抜き挿しされる際、コネクタに電装線を抜き差ししやすいため、誤って電装線が回路素子に接触することを低減できる。
【００１０】
上記のリモコン装置によれば、壁部は、第１の面から突出する方向から見てＬ形形状を有している。壁部をＬ形形状にすることで壁部の構造上の強度を高くすることができる。このため、電装線の壁部への接触によって壁部が壊れることを抑制できる。これにより、壊れた壁部を電装線が通過して、回路素子に電装線が接触することを抑制することができる。
【００１１】
上記のリモコン装置によれば、回路素子はコンデンサである。コンデンサは制御基板の背面側に実装される他の部品よりも比較的高さが大きいため、制御基板の第１の面に実装されたコネクタに電装線を抜き挿しする際、コンデンサに電装線が接触しやすい。コンデンサに電装線が接触することが壁部によって妨げられるため、制御基板の第１の面に実装されたコネクタに電装線が抜き挿しされる際、電装線に接触しやすいコンデンサの破損を防止することができる。したがって、回路素子の破損を防止する効果が大きい。
【発明の効果】
【００１２】
以上説明したように、本発明によれば、制御基板に実装されたコネクタに電装線を抜き挿しする際、制御基板に実装された回路素子に電装線が接触することによる回路素子の破損を防止できる。
【図面の簡単な説明】
【００１３】
【図１】本発明の一実施の形態におけるリモコン装置の構成を概略的に示す斜視図である。
【図２】本発明の一実施の形態におけるリモコン装置のカバーを開けた状態を概略的に示す斜視図である。
【図３】本発明の一実施の形態におけるリモコン装置の構成を正面側から概略的に示す分解斜視図である。
【図４】本発明の一実施の形態におけるリモコン装置の構成を背面側から概略的に示す分解斜視図である。
【図５】本発明の一実施の形態におけるリモコン装置のケースの構成を背面側から概略的に示す斜視図である。
【図６】本発明の一実施の形態におけるリモコン装置の制御基板の構成を背面側から概略的に示す斜視図である。
【図７】本発明の一実施の形態におけるリモコン装置のケースに制御基板が収容された状態を概略的に示す斜視図である。
【図８】本発明の一実施の形態におけるリモコン装置のコネクタに電装線が挿入された状態を概略的に示す斜視図である。
【図９】図７のＰ部を拡大して示す側面図である。
【図１０】比較例におけるリモコン装置のケースに制御基板が収容された状態を概略的に示す斜視図である。
【図１１】図１０のＸＩ−ＸＩ線に沿う断面図である。
【発明を実施するための形態】
【００１４】
以下、本発明の実施の形態について図に基づいて説明する。
まず、本発明の一実施の形態におけるリモコン装置の構成について説明する。
【００１５】
図１を参照して、本発明の一実施の形態におけるリモコン装置は、たとえば給湯器を操作するためのものであり、室内の壁面に取り付けられて、給湯器の制御装置と電装線で接続された状態で使用される。つまり、リモコン装置は電装線と電気的に接続可能であり、電装線によって給湯器と電気的に接続可能である。
【００１６】
図２〜図４を参照して、本発明の一実施の形態のリモコン装置は、ケース１と、カバー２と、表示部３と、スイッチ４と、制御基板５と、コネクタ６と、回路素子７と、絶縁シート８と、取付板９とを主に有している。
【００１７】
リモコン装置の幅方向においてケース１の一方端部にカバー２の一方端部が軸回りに開閉可能に連結されている。ケース１およびカバー２はたとえばＡＢＳ樹脂などの樹脂材によって形成されている。ケース１の表面側に表示部３と、スイッチ４とが配置されている。カバー２が開いた状態で表示部３とスイッチ４とがカバー２の内側から現れる。なお、カバー２に覆われていない一部のスイッチ４については、カバーが閉じた状態でも操作することが可能である。なお、図１に示すようにカバー２が閉じた状態で表示部３とスイッチ４とはカバー２によって覆われている。
【００１８】
ケース１の背面側から制御基板５、絶縁シート８、取付板９の順に、ケース１の内側に制御基板５、絶縁シート８、取付板９が取り付けられている。制御基板５は互いに対向する第１の面５ａと第２の面５ｂとを有しており、リモコン装置の背面側に第１の面５ａが配置されており、リモコン装置の前面側に第２の面５ｂが配置されている。制御基板５の第１の面５ａにコネクタ６および回路素子７が実装されている。
【００１９】
絶縁シート８は、絶縁性を有する材料で形成されており、たとえばポリエチレン樹脂などの樹脂材によって形成されている。絶縁シート８は、可撓性を有する材料によってシート状に形成されている。絶縁シート８は、コネクタ６を透視しながら電装線を挿抜するために透明または半透明の樹脂材で形成されていることが好ましい。絶縁シート８は、コネクタ６の挿し込み口の手前近傍に相当する個所に、電装線の先端の挿入部を挿入する開口部を形成するための舌片部８ａを有している。
【００２０】
取付板９は、板状に形成されており、たとえば鋼によって形成されている。取付板９は中央に開口部９ａを有している。この開口部９ａを覆うように絶縁シート８がケース１に取り付けられており、この状態で絶縁シート８の舌片部８ａによって形成された開口部を通って電装線がコネクタ６に接続される。この取付板９は室内の壁面にねじなどによって取り付けられる。そして、取付板９が壁面に取り付けられた後に、取付板９にケース１を装着することによって、リモコン装置が室内の壁面に取り付けられる。
【００２１】
図５を参照して、ケース１の構成についてさらに詳しく説明する。ケース１は、前面部１ａと、側面部１ｂと、複数の壁部１ｃとを主に有している。
【００２２】
前面部１ａは、リモコン装置の前面を構成する部材である。前面部１ａは板状に形成されている。前面部１ａは、表示部３が配置される開口部１ｄ、スイッチ４が配置される押圧部１ｅを有している。
【００２３】
側面部１ｂはリモコン装置の側面を構成する部材である。側面部１ｂは前面部１ａの外周端部に配置されており、リモコン装置の背面側に延びるように形成されている。前面部１ａと側面部１ｂとで取り囲まれた領域がケース１の内部空間を構成している。
【００２４】
壁部１ｃは電装線と回路素子７との接触を防ぐための部材である。複数の壁部１ｃはそれぞれ前面部１ａの中央部に形成されている。各壁部１ｃは前面部１ａからリモコン装置の背面側に突出するように形成されている。各壁部１ｃは前面部１ａから突出する方向から見てＬ形形状を有している。つまり、各壁部１ｃは前面部１ａから突出する方向からみて屈曲している。
【００２５】
続いて、図６を参照して、制御基板５の構成についてさらに詳しく説明する。制御基板５には、第１の面５ａおよび第２の面５ｂを貫通する複数のスリット５ｃが形成されている。複数のスリット５ｃはそれぞれ制御基板５の中央部に形成されている。各スリット５ｃは第１の面５ａおよび第２の面５ｂを貫通する方向からみてＬ形形状を有している。各スリット５ｃは各壁部１ｃを挿入可能に形成されている。
【００２６】
制御基板５の第１の面５ａに複数のコネクタ６が実装されている。各コネクタは、たとえば給湯器の制御装置に接続された電装線と接続される。各コネクタ６は第１の面５ａに沿う方向に電装線を抜き挿し可能に構成されている。つまり、各コネクタ６の挿し込み口６ａは第１の面５ａに沿う方向に開口している。各コネクタ６は制御基板５の一方端側に配置されており、各コネクタ６の挿し込み口６ａは制御基板５の他方端側に向かって開口している。複数のコネクタ６は複数のスリット５ｃよりも制御基板５の外周側（外側）に配置されている。
【００２７】
また、制御基板５の第１の面５ａに複数の回路素子７が実装されている。複数の回路素子７は第１の面５ａからリモコン装置の背面側に突出するように取り付けられている。複数の回路素子７は制御基板５の中央部に実装されている。複数の回路素子７は複数のスリット５ｃよりも制御基板５の中央部側（内側）に配置されている。本発明の一実施の形態では、回路素子７はコンデンサである。
【００２８】
続いて、上記のケース１の内側に制御基板５が取り付けられた状態について説明する。図７および図８を参照して、この状態では、ケース１の内部空間に制御基板５が収容されている。そして、制御基板５の第２の面側から各スリット５ｃにケース１の各壁部１ｃがそれぞれ挿入されている。各壁部１ｃは制御基板５の各スリット５ｃのそれぞれを通って第１の面５ａからケース１の背面側に突出している。壁部１ｃは電装線１０のコネクタ６からの抜き方向に配置されている。
【００２９】
壁部１ｃは電装線１０のコネクタ６からの抜き方向と交差する方向に延びる延在部を有している。この延在部はコネクタ６と回路素子７との間に配置されている。壁部１ｃはコネクタ６の挿し込み口と対向する部分を有している。
【００３０】
壁部１ｃは、第２の面側からスリット５ｃに挿入されて第１の面５ａから突出した状態で、コネクタ６よりも回路素子７の近くに配置されている。つまり、壁部１ｃは、前面部１ａから突出する方向から見てコネクタ６よりも回路素子７の側に配置されている。
【００３１】
また、壁部１ｃは前面部１ａから突出する方向から見てＬ形形状に形成されているため、回路素子７は壁部１ｃによって互いに交差する２方向から囲まれている。
【００３２】
なお、壁部１ｃはすべてのコネクタ６に対応して設けられている必要はなく、壁部１ｃは１つのコネクタ６に対応して設けられていればよい。
【００３３】
また、電装線１０の先端には挿入部１０ａが設けられている。この挿入部１０ａがコネクタ６の挿し込み口に挿入されて電装線１０がコネクタ６に接続される。この挿入部１０ａは第１の面５ａに沿ってコネクタ６に抜き挿しされる。
【００３４】
図９を参照して、壁部１ｃの第１の面５ａから突出した部分の高さ寸法は、回路素子７の制御基板５の第１の面５ａからの高さ寸法以上の大きさである。これにより、電装線が壁部１ｃを超えて回路素子７に接触することを防止できる。なお、壁部１ｃの第１の面５ａから突出した部分の高さ寸法は、回路素子７の制御基板５の第１の面５ａからの高さ寸法よりも小さくてもよい。この場合でも、壁部１ｃによって電装線が回路素子７に接触することを防止できる。
【００３５】
次に、本発明の一実施の形態におけるリモコン装置の作用効果について比較例と対比して説明する。
【００３６】
図１０および図１１を参照して、比較例におけるリモコン装置は、本発明の一実施の形態のリモコン装置とケース１に壁部が形成されていない点で主に異なっている。このため、図１１に示すように、制御基板５の第１の面５ａに実装されたコネクタ６に電装線の先端の挿入部１０ａを抜き挿しする際、挿入部１０ａまたは電装線が回路素子７に接触して回路素子７に外力が加わって回路素子７が破損する虞がある。
【００３７】
一方、本発明の一実施の形態のリモコン装置によれば、図７および図８に示すように、ケース１の壁部１ｃは制御基板５の第２の面側からスリット５ｃに挿入された状態で第１の面５ａから突出し、かつ電装線１０のコネクタ６からの抜き方向に配置されている。このため、制御基板５の第１の面５ａに実装されたコネクタ６に電装線１０が抜き挿しされる際、第１の面５ａから突出し電装線１０のコネクタ６からの抜き方向に配置された壁部１ｃに電装線１０が接触することで、電装線１０が回路素子７に接触することが妨げられる。これにより、回路素子７に電装線１０が接触することによる回路素子７の破損を防止することができる。つまり、電装線１０が壁部１ｃに接触するため、電装線１０が回路素子７に接触して回路素子７に外力が加わることが妨げられる。したがって、電装線１０が回路素子７にぶつかったり引っかかったりすることによって外力が加わることが壁部１ｃによって回避される。
【００３８】
また、ケース１に壁部１ｃを設けることで、壁部１ｃをたとえば制御基板５上に別途形成する場合と比べて、部品点数を少なくすることができる。このため、生産コストを低くすることができ、また生産工程を簡略化することもできる。よって、リモコン装置の生産効率を向上することができる。
【００３９】
さらに、制御基板５の第１の面５ａにコネクタ６と回路素子７とを実装することで、第１の面５ａにコネクタ６を実装し、第２の面５ｂに回路素子７を実装する場合と比べて、制御基板５にコネクタ６および回路素子７が実装された組立体の制御基板５の厚さ方向の寸法を小型化することができる。これにより、ケース１の厚さ方向の寸法も小型化するこができる。よって、リモコン装置を小型化することができる。
【００４０】
本発明の一実施の形態のリモコン装置によれば、図８および図９に示すように、壁部１ｃの第１の面５ａから突出した部分の高さ寸法は、回路素子７の制御基板５の第１の面５ａからの高さ寸法以上の大きさである。このため、制御基板５の第１の面５ａに実装されたコネクタ６に電装線１０が抜き挿しされる際、第１の面５ａに沿って電装線１０が移動すると電装線１０は回路素子７に接触する前に壁部１ｃに確実に接触する。これにより、回路素子７に電装線１０が接触することによる回路素子７の破損を確実に防止することができる。
【００４１】
本発明の一実施の形態のリモコン装置によれば、図７および図８に示すように、壁部１ｃは、第２の面側からスリット５ｃに挿入されて第１の面５ａから突出した状態で、コネクタ６よりも回路素子７の近くに配置されている。このため、コネクタ６に電装線１０が抜き挿しされる際、コネクタ６に電装線１０を抜き差ししやすいため、誤って電装線１０が回路素子７に接触することを低減できる。
【００４２】
本発明の一実施の形態のリモコン装置によれば、図７および図８に示すように、壁部１ｃは、第１の面５ａから突出する方向から見てＬ形形状を有している。このように壁部１ｃをＬ形形状にすることで壁部１ｃの構造上の強度を高くすることができる。このため、電装線１０の壁部１ｃへの接触によって壁部１ｃが壊れることを抑制できる。これにより、壊れた壁部１ｃを電装線１０が通過して、回路素子７に電装線１０が接触することを抑制することができる。
【００４３】
本発明の一実施の形態のリモコン装置によれば、図７および図８に示すように、回路素子７はコンデンサである。コンデンサは制御基板５の背面側に実装される他の部品よりも比較的高さが大きいため、制御基板５の第１の面５ａに実装されたコネクタ６に電装線１０を抜き挿しする際、コンデンサに電装線１０が接触しやすい。コンデンサに電装線１０が接触することが壁部１ｃによって妨げられるため、制御基板５の第１の面５ａに実装されたコネクタ６に電装線１０が抜き挿しされる際、電装線１０に接触しやすいコンデンサの破損を防止することができる。したがって、回路素子７がコンデンサである場合には、回路素子７の破損を防止する効果が大きくなる。
【００４４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４５】
１  ケース、１ａ  前面部、１ｂ  側面部、１ｃ  壁部、２  カバー、３  表示部、４  スイッチ、５  制御基板、５ａ  第１の面、５ｂ  第２の面、５ｃ  スリット、６  コネクタ、６ａ  挿し込み口、７  回路素子、８  絶縁シート、８ａ  舌片部、９  取付板、１０  電装線、１０ａ  挿入部。
【図１】
2014192582.tif 000003
【図２】
2014192582.tif 000004
【図３】
2014192582.tif 000005
【図４】
2014192582.tif 000006
【図５】
2014192582.tif 000007
【図６】
2014192582.tif 000008
【図７】
2014192582.tif 000009
【図８】
2014192582.tif 000010
【図９】
2014192582.tif 000011
【図１０】
2014192582.tif 000012
【図１１】
2014192582.tif 000013